(57)【要約】【課題】椀状容器と偏平な包装袋とからなるセット商品をスリーブ型カートンで包装したときに両者がずれたり抜け落ちたりしないようにし、椀状容器と包装袋とを組み合わせた商品を、購買者の目に付き易くする。【解決手段】収容物を配した容器本体５の上面を蓋材６で閉じてなる椀状容器２に、椀状容器２の底部側から上部側を経て底部側に亘るように縦巻き状に取り付けるスリーブ型カートン４を、椀状容器２の底部を保持する座部８と、座部８に一端を連接して椀状容器２の上方を跨いで他端が座部に係脱可能に設けられているカバー部９とを備えたものとし、座部８は、椀状容器２の底部が接地する底板１０と容器本体５を保持する開口１５を備えた保持板１２との上下二段にした。【選択図】図１
2004256170.tif 000002
【特許請求の範囲】
【請求項１】
収容物を配した容器本体の上面を蓋材で閉じてなる椀状容器に縦巻き状にして取り付けるスリーブ型カートンであって、椀状容器の底部を保持する座部と、この座部に一端を連接して椀状容器の上方を跨いで他端が前記座部に係脱可能に設けられているカバー部とを備え、前記座部は、椀状容器の底部が相対する底板と椀状容器の容器本体を保持する開口を備えた保持板との上下二段の板材からなることを特徴とするスリーブ型カートン。
【請求項２】
上記底板と保持板との間隔を維持する支持手段が設けられている請求項１に記載のスリーブ型カートン。
【請求項３】
上記カバー部は物品保持手段を備えている請求項１または２に記載のスリーブ型カートン。
【請求項４】
上記椀状容器に縦巻き状にして取り付け、該椀状容器とともに電子レンジ庫内に配して電子レンジマイクロ波の照射対象となる電子レンジ加熱用カートンである請求項１から３の何れか一項に記載のスリーブ型カートン。
【請求項５】
上記カバー部および／または物品保持手段の内面側の表面の所定箇所にプラスチック層が設けられている請求項３または４に記載のスリーブ型カートン。
【請求項６】
上記カバー部は他端部にカバー部係脱手段を備えており、前記カバー部が前記カバー部係脱手段により前記座部に係脱可能に設けられている請求項１から５の何れか一項に記載のスリーブ型カートン。
【請求項７】
請求項１から６のいずれか一項に記載のスリーブ型カートンにおける上記座部に、上記蓋材で上面が閉じられた椀状容器を配置した状態で上記カバー部が座部に掛け止められて、カバー部で椀状容器を保持する構成としたことを特徴とする包装体。
【請求項８】
請求項１から６のいずれか一項に記載のスリーブ型カートンにおける上記座部に、上記蓋材で上面が閉じられた椀状容器を配置し、かつ前記蓋材の上に包装袋を配置し、前記蓋材の上に包装袋が位置した状態で上記カバー部が座部に掛け止められて、カバー部と椀状容器とで包装袋を保持する構成としたことを特徴とする包装体。
【請求項９】
上記カバー部が上記カバー部係脱手段により前記座部に掛け止められている請求項７あるいは請求項８に記載の包装体。
【請求項１０】
上記スリーブ型カートンとこのスリーブ型カートンを縦巻き状にして取り付けた上記椀状容器とを電子レンジ庫内に配して電子レンジマイクロ波の照射対象となる電子レンジ加熱用包装体である請求項７から９のいずれか一項に記載の包装体。
【発明の詳細な説明】
【技術分野】
【０００１】
本発明はスリーブ型カートンとこれを用いた包装体に関するものである。
【背景技術】
【０００２】
従来から製品の陳列用包装の一つとして、スリーブ型のカートンを用いて包装し、側方の開放部分から製品が見えるようにして購入者の購買意欲を高める工夫を備えたものがある。例えば製品を包装材料にて縦方向に巻くようにすることで、スリーブ型のカートンで製品を包装し、そしてカートン内に製品が安定的に収まるようにするために製品における容器のフランジ部を挟み保持する手段を設けたものが提案されている（例えば特許文献１参照）。
【特許文献１】特開平１０−２３６５２３号公報
【発明の開示】
【発明が解決しようとする課題】
【０００３】
ところで、加工食品を容器に収めてなる商品にあっても上記スリーブ型カートンにて包装したものが販売されるようになってきており、特に、食品を他の容器に移し替えることなくそのまま食したり電子レンジ加熱調理して食することができるように加工食品を椀状容器に収容した商品があり、このような商品では、スリーブ型カートンが椀状容器を縦方向に巻くという簡易な構成であることから取り扱い易く、ボックス状カートンと比べて有利な包装方法となっている。
【０００４】
しかしながら、椀状容器においてフランジ部を備えていない場合にはスリーブ型カートン内で安定し難く、スリーブ型カートンの内側で容器が回転したり抜け落ちたりする可能性が高いものとなる。また、電子レンジによる加熱調理を行なうようにした商品において、加熱調理する、例えばご飯を椀状容器に収容し、同じく加熱調理する具材をプラスチック製などの包装袋やアルミ金属層を層構成中に有する積層構成の包装材料からなる包装袋などに収容したセット商品が提案されているが、この両容器をまとめてスリーブ型カートンで包装したとしても、椀状容器の上にその包装袋を乗せるシンプルな形態では両者を安定的に保持できないという問題があった。
そこで本発明は上記事情に鑑み、椀状容器をスリーブ型カートンで包装するときに椀状容器が回転したり、移動したり、ずれたりしないようにすることを課題とし、椀状容器を、購買者の目に付き易く内容確認が容易なスリーブ型カートンで安定して包装できるようにすることを目的とするものであり、
また、椀状容器と包装袋とからなるセット商品をスリーブ型カートンで包装するときに椀状容器や包装袋が抜け落ちたりずれたりしないようにすることを課題とし、椀状容器と包装袋とを組み合わせた商品を、購買者の目に付き易く内容確認が容易なスリーブ型カートンで安定して包装できるようにすることを目的とするものである。
【課題を解決するための手段】
【０００５】
本発明は上記課題を考慮してなされたもので、収容物を配した容器本体の上面を蓋材で閉じてなる椀状容器に縦巻き状にして取り付けるスリーブ型カートンであって、椀状容器の底部を保持する座部と、この座部に一端を連接して椀状容器の上方を跨いで他端が前記座部に係脱可能に設けられているカバー部とを備え、前記座部は、椀状容器の底部が相対する底板と椀状容器の容器本体を保持する開口を備えた保持板との上下二段の板材からなることを特徴とするスリーブ型カートンを提供して、上記課題を解消するものである。
【０００６】
そして、本発明において、上記底板と保持板との間隔を維持する支持手段が設けられているものとすることが良好であり、またカバー部は物品保持手段を備えていることが良好である。
【０００７】
さらに、上記椀状容器に縦巻き状にして取り付け、該椀状容器とともに電子レンジ庫内に配して電子レンジマイクロ波の照射対象となる電子レンジ加熱用カートンとすることができるものである。
【０００８】
さらに、上記カバー部および／または物品保持手段の内面側の表面の所定箇所にプラスチック層を設けることができる。
【０００９】
また、上記カバー部は他端部にカバー部係脱手段を備えており、前記カバー部を前記カバー部係脱手段により前記座部に係脱可能に設けることができる。
【００１０】
また、もう一つの発明は、上記スリーブ型カートンにおける上記座部に、上記蓋材で上面が閉じられた椀状容器を配置した状態で上記カバー部が座部に掛け止められて、カバー部で椀状容器を保持する構成としたことを特徴とする包装体であり、この包装体を提供して上記課題を解消するものである。
【００１１】
また、もう一つの発明は、上記スリーブ型カートンにおける上記座部に、上記蓋材で上面が閉じられた椀状容器を配置し、かつ前記蓋材の上に包装袋を配置し、前記蓋材の上に包装袋が位置した状態で上記カバー部が座部に掛け止められて、カバー部と椀状容器とで包装袋を保持する構成としたことを特徴とする包装体であり、この包装体を提供して上記課題を解消するものである。
【００１２】
また、上記発明の包装体において、上記カバー部は上記カバー部係脱手段により前記座部に掛け止められていることができる。
【００１３】
そして、上記発明の包装体において、上記スリーブ型カートンとこのスリーブ型カートンを縦巻き状にして取り付けた上記椀状容器とを電子レンジ庫内に配して電子レンジマイクロ波の照射対象となる電子レンジ加熱用包装体とすることができるものである。
【発明の効果】
【００１４】
本発明の請求項１に記載のスリーブ型カートンは、収容物を配した容器本体の上面を蓋材で閉じてなる椀状容器に縦巻き状にして取り付けるスリーブ型カートンであって、椀状容器の底部を保持する座部と、この座部に一端を連接して椀状容器の上方を跨いで他端が前記座部に係脱可能に設けられているカバー部とを備え、前記座部は、椀状容器の底部が相対する底板と椀状容器の容器本体を保持する開口を備えた保持板との上下二段の板材からなるものであり、
本発明のスリーブ型カートンの座部に保持された椀状容器は、一般の購入者が通常に取り扱ったとしても、回転したり、抜け落ちたり、ずれたりせず、安定に保持されるため、商品形態を良好な状態に保つことができるなど、実用性に優れた効果を奏する。
また本発明のスリーブ型カートンを用いて、例えば椀状容器と包装袋とのセットを両者の貼り合わせなどを行なわなくとも適正に保持された包装体を容易に得ることができ、陳列された包装体を一般の購入者が通常に取り扱ったとしても包装袋の抜け落ちや椀状容器のずれが生じないため、商品形態を良好な状態に保つことができるなど、実用性に優れた効果を奏する。
【００１５】
本発明の請求項２に記載のスリーブ型カートンは、請求項１に記載のスリーブ型カートンにおいて、上記底板と保持板との間隔を維持する支持手段が設けられているので、この支持手段により上記底板と保持板との間隔を支持して容易に維持できるというさらなる効果を奏する。
【００１６】
本発明の請求項３に記載のスリーブ型カートンは、請求項１または２に記載のスリーブ型カートンにおいて、上記カバー部は物品保持手段を備えているので、この物品保持手段により上記包装体をよりよく保持できるというさらなる効果を奏する。
【００１７】
本発明の請求項４に記載のスリーブ型カートンは、請求項１から３の何れか一項に記載のスリーブ型カートンにおいて、上記椀状容器に縦巻き状にして取り付け、該椀状容器とともに電子レンジ庫内に配して電子レンジマイクロ波の照射対象となる電子レンジ加熱用カートンであるので、例えば椀状容器に収容した加工食品を他の容器に移し替えることなくそのまま電子レンジ加熱調理して食することができる、また、電子レンジ加熱調理されて熱くなった椀状容器に直接触れることなく取り扱うことができ火傷を防ぐことができるなど、というさらなる効果を奏する。
【００１８】
本発明の請求項５に記載のスリーブ型カートンは、請求項３または４に記載のスリーブ型カートンにおいて、上記カバー部および／または物品保持手段の内面側の表面の所定箇所にプラスチック層が設けられているので、例えば椀状容器の蓋材を取り去った後、この椀状容器に収容した加工食品を他の容器に移し替えることなく、カバー部でこの椀状容器の上方を覆って係止し、そのまま電子レンジ加熱調理することが可能であり、電子レンジ加熱調理中に加工食品の一部が突沸などによりて飛沫がでても上記カバー部および／または物品保持手段の内面側の表面の所定箇所に設けたプラスチック層に当たり、外部に飛散したり、上記カバー部や支持手段に食品が浸透して強度を低下させたり外観を悪化させたりすることがなくなり、また食品に直接触れる部分にプラスチック層を設けているので衛生的である、というさらなる効果を奏する。
【００１９】
本発明の請求項６に記載のスリーブ型カートンは、請求項１から５の何れか一項に記載のスリーブ型カートンにおいて、上記カバー部は他端部にカバー部係脱手段を備えており、前記カバー部が前記カバー部係脱手段により前記座部に係脱可能に設けられているので、
上記座部に、上記蓋材で上面が閉じられた椀状容器を配置し、あるいは上記蓋材の上にさらに包装袋を配置した状態で、前記カバー部係脱手段により前記カバー部を前記座部に掛け止めすれば、縦に立てて展示することもできるので上記椀状容器などを外部からさらによく見えるため購買者の目に付き易くなり、また、前記カバー部が上記椀状容器などの上方を跨いでその他端を前記座部に掛け止めしなくても、椀状容器などを適正に保持でき、陳列された包装体などを一般の購入者が通常に取り扱ったとしても、椀状容器などの回転、移動、ずれなどが生じないため、商品形態を良好な状態に保つことができるなど、実用性に優れた効果を奏する。
【００２０】
本発明の請求項７は、請求項１から６のいずれか一項に記載のスリーブ型カートンにおける上記座部に、上記蓋材で上面が閉じられた椀状容器を配置した状態で上記カバー部が座部に掛け止められて、カバー部で椀状容器を保持する構成とした包装体であり、
椀状容器を適正に保持でき、陳列された包装体を一般の購入者が通常に取り扱ったとしても椀状容器の回転、移動、ずれなどが生じないため、商品形態を良好な状態に保つことができるなど、実用性に優れた効果を奏する。
【００２１】
本発明の請求項８は、請求項１から６のいずれか一項に記載のスリーブ型カートンにおける上記座部に、上記蓋材で上面が閉じられた椀状容器を配置し、かつ前記蓋材の上に包装袋を配置し、前記蓋材の上に包装袋が位置した状態で上記カバー部が座部に掛け止められて、カバー部と椀状容器とで包装袋を保持する構成とした包装体であり、
椀状容器と包装袋とのセットを両者の貼り合わせなどを行なわなくとも適正に保持でき、陳列された包装体を一般の購入者が通常に取り扱ったとしても包装袋の抜け落ちや椀状容器のずれなどが生じないため、商品形態を良好な状態に保つことができるなど、実用性に優れた効果を奏する。
【００２２】
本発明の請求項９は、請求項７あるいは請求項８に記載の包装体において、上記カバー部が上記カバー部係脱手段により前記座部に掛け止められているため、上記座部に、上記蓋材で上面が閉じられた椀状容器を配置し、あるいは上記蓋材の上にさらに包装袋を配置した状態で、前記カバー部係脱手段により前記カバー部を前記座部に掛け止めすれば、縦に立てて展示することもできるので上記椀状容器などを外部からさらによく見えるため購買者の目に付き易くなり、また、前記カバー部が上記椀状容器などの上方を跨いでその他端を前記座部に掛け止めしなくても、椀状容器などを適正に保持でき、陳列された包装体などを一般の購入者が通常に取り扱ったとしても、椀状容器などの回転、移動、ずれなどが生じないため、商品形態を良好な状態に保つことができるなど、実用性に優れた効果を奏する。
【００２３】
本発明の請求項１０に記載の包装体は、請求項７から請求項９のいずれか一項に記載の包装体において、上記スリーブ型カートンとこのスリーブ型カートンを縦巻き状にして取り付けた上記椀状容器とを電子レンジ庫内に配して電子レンジマイクロ波の照射対象となる電子レンジ加熱用包装体であるので、椀状容器に収容した加工食品を他の容器に移し替えることなくそのまま包装袋とともに電子レンジ加熱調理して食することができるというさらなる効果を奏する。
【発明を実施するための最良の形態】
【００２４】
次に本発明を図１から図２０に示す実施の形態に基づいて詳細に説明する。
図中１は包装体で、図２に示すように該包装体１は椀状容器２と包装袋３との組み合わせ商品を該商品の底部側からその上部側を経て底部側に亘るように縦巻き状にするスリーブ型カートン４にて包装してなるものである。
包装体１における上記椀状容器２は電子レンジ加熱調理を行なえるように前加工された食品、例えばご飯を収容しているものであって、外周が多面付けされた意匠を呈するように外周横断面形状を多角形状とした容器本体５に前記食品を収め、容器本体５の上面開口を柔軟で耐熱性のある樹脂シートからなる蓋材６で覆って閉じている。蓋材６は容器本体５の開口周縁にヒートシールされて容器本体５の収容空間を封止しているが、蓋材６を必要時に手操作で剥ぎ取ることができるシール強度で容器本体５にヒートシールしている。
なお、上記容器本体５はその外周横断面形状が多角形状となるものとして示されているが、本発明においてこの容器本体５の形状は限定されるものではない。また、蓋材６を容器本体５の開口周辺に取り付ける手法は上述したヒートシールに限定されるものではなく、例えば、接着剤を用いて取り付けたり高周波溶着にて取り付けるなど、公知の手法が適宜に採用できるものである。
また、椀状容器２内を負圧状態にして封止すれば、前記蓋材６の中央が下方に向けて凸となる凹面状に凹み、この凹みによって椀状容器２の上面に収納凹部７を形成し、上記包装袋３を収納するのに好適である。
【００２５】
また、椀状容器２と組み合わせてスリーブ型カートン４に包装される包装袋３は椀状容器２に収容した食品と合わせて食することのできる具材であって、電子レンジ加熱調理を行なえるように前加工された食品が収容されていて、相対向した二枚の包装材料の辺部同士をヒートシールすることにより包装材料間の具材収容部を封止し、全体として略偏平となるように形成されているものである。図示の包装袋３は四方パウチの形態を示しているが、本発明では包装袋であれば形態や封止手法は特に限定されない。
そして、包装体１において上記椀状容器２とこの包装袋３との組み合わせの形態は、図示されているように椀状容器２の蓋材６の凹みで形成した収納凹部７に包装袋３を寝かせた状態にして乗せ置いていて、椀状容器２と包装袋３との位置関係において積み重ね状態で静置させていれば包装袋３が安定して椀状容器２の上に位置するものである。なお、この包装体１では後述するように包装袋３をさらに安定して保持するための工夫を有している。
【００２６】
包装体１は上述したように蓋材６上に包装袋３を位置させた状態にしてこの包装袋３と椀状容器２とをスリーブ型カートン４にて包装している。このスリーブ型カートン４は、図示されているように椀状容器２を下方から受ける座部８と、この座部８に一端が連続し椀状容器２と包装袋３とを跨いで覆うカバー部９とからなる紙製のものである。
図４は上記スリーブ型カートン４を展開した状態で示していて、底板１０の一辺側に側板１１を介して保持板１２が連接されているとともに、前記底板１０の保持板１２側とは反対の一辺側に側板１３を介して帯状のカバー部９が連接されている。そして、前記保持板１２を、該保持板１２と底板１０との間の側板１１を立て起こすようにしながら底板１０側に折り曲げ、その保持板１２の糊代１４を前記側板１３に貼り合わせている。
このように底板１０の上部に間隔をおいて保持板１２が位置することで座部８が形成されていて、保持板１２に形成した開口１５に合わせるようにして椀状容器２を乗せ置いている。底板１０の保持板１２における前記開口１５は、底板１０に底部を接しさせて直接配置したときの容器本体５に内周縁が全周に亘って接触するように設けられていて、開口１５の内周形状を容器本体５の外周形状に対応させている。このように座部８に開口１５を有して椀状容器２をその開口１５に嵌め入れるようにして配置させているため、椀状容器２自体の移動が抑えられ、開口１５の内周形状を容器本体５の外周形状に対応させているため、椀状容器２の回転も防止している。
なお、開口１５の内周形状は必ずしも容器本体５の外周形状に対応させる必要はなく、開口１５の内周の一部分が容器本体５に接して支持する構成としてもよい。
【００２７】
さらに展開された状態で示すように底板１０と保持板１２とのそれぞれにおいて連接方向に沿っている辺に縦壁板１６が連接されていて、保持板１２の縦壁板１６それぞれを折り倒してから底板１０の縦壁板１６それぞれを折り起こし、その底板１０の縦壁板１６に連接されている係止片１７を、保持板１２の縦壁板１６の折元側に切り込み形成したスリット１８に差し入れて係止させていて、この係止片１７を保持板１２側に設けたスリット１８に係止させた縦壁板１６によって、底板１０と保持板１２との間隔を維持している。
このように係止片１７を備えた縦壁板１６は底板１０と保持板１２との間隔を維持する支持手段１９の役割を果たしており、そして保持板１２の縦壁板１６にあっても前記係止片１７を有する縦壁板１６の内側に位置した状態で下端が底板１０側に当接するようにしており、この内側に位置する縦壁板１６も支持手段１９となる。なお、係止片１７を有する縦壁板１６を係止片を備えない縦壁板１６との位置関係は上下逆であってもよい。
このように底板１０と保持板１２との間隔が上記縦壁板１６による支持手段１９にて保たれているため、上記開口１５に位置させた椀状容器２がずれるような外力が加わるようになっても容器本体５に対する開口１５が底板１０側に下がるような変形が生じず、よって椀状容器２の移動や回転が抑えられる。
【００２８】
底板１０と保持板１２との間隔を維持する支持手段１９は上記縦壁板１６に限定されるものではない。図５はその他の例を示していて、底板１０から立て起こされて保持板１２の切り欠き２０に係止する縦壁板１６によって支持手段１９を構成したり、上記開口１５の内周に連接し椀状容器２の嵌め入れで折り下げられて底板１０に当接する構成とした舌片２１によっても支持手段１９が形成できる。前記舌片２１は複数設けられていることが良好であり、図示の例では一方のみが示されているが、舌片２１は対向する位置関係で対にして設けられているものである。
また、図６に示すように底板１０の四隅およびこの四隅に連続する側板１１、１３の端部を縦断面逆Ｌ字型に保持板１２側に折り上げてなる折込部２２や、図７に示すように側板１１の端部とこれに連続する保持板１２の二隅を底板１０側に縦断面Ｌ字型に折り下げてなる折込部２３によって、底板１０と保持板１２との間隔を維持する支持手段１９を構成してもよい。さらに、図８に示されているように側板１１の端部とこれに連続する底板１０、保持板１２それぞれの二隅を底板１０と保持板１２との間に折り入れてなる折込部２４によっても支持手段１９が得られる。
【００２９】
上記カバー部９には側板１３と反対の一辺側中央に係止爪２５が切り込み形成されていて、このカバー部９を基端側から、即ち側板１３側から椀状容器２と椀状容器２の上記蓋材６上に配された包装袋３とを覆うようにして縦巻き状に被せ付け、前記係止爪２５を側板１１の中央に切り込み形成した係止部２６に係脱可能に係止させている。そして、カバー部９により包装袋３と椀状容器２とを覆っていて、カバー部９を座部８に係止させることで積み重ね状態の包装袋３と椀状容器２とを保持するようにしている。
このようにカバー部９の被せ付けによって包装袋３と椀状容器２とを保持しているため、包装袋３と椀状容器２との上下方向のずれなどが確実に抑え込まれている。さらに前記包装袋３は椀状容器２の蓋材６上に位置した状態でカバー部９と蓋材６とで挟持されたものとなり、包装袋３の横方向への移動も確実に防止されて、略偏平であっても包装袋３がスリーブ型カートン４から抜け落ちることがなく、陳列状態にある包装体１を一般消費者が通常に取り扱っても、包装体１の商品としての形態が確実に保たれる。
【００３０】
さらに本包装体１では、座部８に位置した椀状容器２の容器本体５の上縁における側板１１側の位置２７がこの側板１１の上方へのほぼ延長線上となるようにしているとともに、包装袋３と椀状容器２とを覆ったカバー部９において、容器本体５の上縁の側板１１側の前記位置２７に対応する部分で折り罫２８が設けられて折り曲げられており、この折り罫２８から折り曲げられたカバー部９がほぼまっすぐ下方に降りた状態にして側板１１から起きる（一部分が捲れるように離れている状態）ことなるこの側板１１に重なるようにしており、カバー部９の係止爪２５が側板１１の係止部２６に適正に係止するように設けられている。
カバー部９の係止爪２５の両側には、この係止爪２５を切り込み形成したスリットに連続する折り罫２９が位置し、折り罫２９から先端部分に亘って形成した摘み片３０の曲げ起こしにより前記係止爪２５を起こし、係止部２６に対して係脱操作が行い易くなるようにしている。
【００３１】
上記実施の形態において、椀状容器２の蓋材６上に位置する包装袋３をカバー部９が覆うようにしており、上述した係止爪２５を係止部２６から外してカバー部９を持ち上げるようにすれば、包装袋３の挟持状態は解消され、椀状容器２と包装袋３とはそれぞれ単独で取り扱えるようになる。また、包装体１において前記包装袋３の保持をより確実なものとするために、カバー部９に弱接着力にして包装袋３に剥離可能に貼着する接着剤を設けるようにしてもよい。
【００３２】
上記接着剤は包装袋３をカバー部９によりよく保持させるためのものであるが、このカバー部９への包装袋３の保持はこの例に限定されない。図９から図１２はカバー部９に包装袋３を着脱可能に保持させるための物品保持手段３１（以下、保持手段と称する場合がある）の構成を示していて、図９では、カバー部９の内面側に端部が互いが係脱可能にして、かつスライド可能に係止する一対の帯片を取り付け、この帯片とカバー部９との間に包装袋３を保持させる構成とした保持手段３１が示されている。この保持手段３１にあっては縦方向ばかりでなく、カバー部９の幅方向に対の帯片を配して保持手段３１を形成するようにしてもよい。
また、図１０に示すようにカバー部９に平行な二条の切り込みを入れてなる一本の帯片をカバー部９の一般部から離れるように分離形成し、この帯片とカバー部９の一般部とで包装袋３を保持する構成として保持手段３１を設けることができる。この場合、切り込みにより分離形成する帯片は一本に限定されない。
さらに、図１１に示す例では保持手段３１をカバー部９に設けた袋から形成したものである。図１１に示す袋からなる保持手段３１はカバー部９の幅方向における一辺を開放して横入れとしているが、袋のカバー部９の幅方向に対向する二辺それぞれが開放された形態であってもよい。
また、図１２に示すように、折り罫２８側、即ち、カバー部９を開け閉めする側の一辺を開放して縦入れできる袋により保持手段３１を構成してもよい。この図１２に示す例では、カバー部９の幅方向に対向する二辺それぞれにマチを有する構造としているが、勿論、このマチを設けないようにすることもできる。
保持手段３１となる上記各袋は、シート状物の所要辺部をカバー部９に貼り合わせて形成されているが、収納空間に厚みのある箱形態となるように形成してもよい。
【００３３】
本実施の形態において、カバー部９と側板１３との間はミシン目が穿設されて、カバー部９の側板１３側を中心とした回動操作が行い易く設けられている。また、カバー部９と側板１３との間にミシン目が穿設されているため、カバー部９を前記ミシン目から切り取り易く、カバー部切除後に残った座部８を、椀状容器を乗せたまま取り扱うトレーとして利用できる。
【００３４】
本包装体１を用いた電子レンジ加熱調理の形態を、椀状容器２にご飯が収容され、そのご飯に合わせる具材が包装袋３に収容されているものとして説明すれば、まず、スリーブ型カートン４のカバー部９を開き、椀状容器２の蓋材６の一部を捲って開くとともに前記包装袋３を開封し、蓋材６を捲って形成した開口から包装袋３側の具材を椀状容器２に入れてご飯と合わせる。
つぎに、蓋材６を戻して開口を閉じるとともに、カバー部９を戻してそのカバー部９の係止爪２５を座部８における係止部２６に係止させる。こうすることによりカバー部９は蓋材６を覆うように被せ付けられた状態が維持される。そして、スリーブ型カートン４と椀状容器２との組み合わせとなった包装体１を前記カバー部９が被せ付けられた形態のまま電子レンジの庫内に入れ、電子レンジ加熱調理を行なう。
このとき、マイクロ照射された包装体１の食品が突沸する可能性があるが、カバー部９の閉じによって蓋材６の開きが抑えられているとともに、椀状容器２の上面形状より大寸としたカバー部９にて椀状容器２の上方を覆っているため、椀状容器２内から食品の飛沫が包装体外部に飛ぶことがなく、よって電子レンジ庫内を汚すことがない。
加熱が終了すれば、包装体１を電子レンジ庫内から取り出し、カバー部９を開き、蓋材６を取り除くようにすればよい。
電子レンジ加熱調理されて熱くなった椀状容器２に直接触れることなく取り扱うことができるので火傷を防ぐことができる。
なお、以上の説明は包装体１を用いた電子レンジ加熱調理の一例であり、これに限定されるものではない。
【００３５】
上記実施の形態におけるスリーブ型カートンは紙製のものであるが、本発明ではスリーブ型カートンの材質が紙製のものに限定されるものではない。なお、上述したように椀状容器を乗せたまま電子レンジの庫内に入れられるものである場合には耐熱性や強度があり、温度上昇がし難いものを選択すればよい。
また、椀状容器および蓋材それぞれの素材は両者間での接着性が良好であるとともに、電子レンジを用いた加熱調理に際して変形、変質しないものなどを必要に応じて選択すればよい。
【００３６】
実施の形態として椀状容器内の収容物をご飯とし、包装袋内の収容物をご飯に混ぜ込んで電子レンジでの加熱調理を行なう具材としたが、椀状容器の収容物および包装袋の収容物はこれらに限定されるものではなく、椀状容器の収容物をうどんとし、包装袋の収容物を前記うどんに合わせる汁とするなど、各種の食品を収容物とすることができ、電子レンジ加熱調理を行なうものに限定されない。
さらに、本発明の包装体では椀状容器と包装袋との収容物が食品に限定されるものではなく、医薬品や化粧品などであってもよい。このように包装体における椀状容器と包装袋との収容物は電子レンジ加熱調理するものに限定されず、さらに食品に限定されないことから、上述したように椀状容器の収納空間を蓋材で覆う手法や包装袋の形態が限定されない。
【００３７】
上記各実施の形態にあっては、椀状容器の底部が座部の底板に接した状態として該底板に相対しているが、包装袋を座部内に配し、座部内の包装袋を介在させながら椀状容器の底部が底板に相対するようにしてこの椀状容器を保持板の開口に配置させ、上記保持板の開口で椀状容器が保持される構成（座部内の包装袋を取り外せば椀状容器と底板とが離間した状態となる）とすることも可能である。このようにすれば座部内が収納空間として有効に利用でき、また商品の流通時や陳列時には座部内の包装袋がクッション体となって椀状容器を保護することもできるようになる。
【００３８】
図１３は、本発明に係る包装体の他の例を示す説明図である。
図中１Ａは本発明に係る包装体であり、紙製のスリーブカートン４のカバー部９の内面側の表面の所定の箇所（この例では、カバー部９の内面側の表面の全面）にポリオレフィン系プラスチックフィルムあるいはシートからなるプラスチック層４０が積層、コーテイング、貼着などにより設けられている以外は図１に示した本発明に係る包装体１と同様になっている。
本包装体１Ａを用いた電子レンジ加熱調理の形態を、椀状容器２にご飯が収容され、そのご飯に合わせる具材が包装袋３に収容されているものとして説明すれば、まず、スリーブ型カートン４のカバー部９を開き、椀状容器２の蓋材６の全部を捲って開いて取り除くとともに前記包装袋３を開封し、蓋材６を取り除いて形成した開口から包装袋３側の具材を椀状容器２に入れてご飯と合わせる。
つぎに、カバー部９を戻してそのカバー部９の係止爪２５を座部８における係止部２６に係止させる。こうすることによりカバー部９は蓋材６を取り除いて形成した開口を覆うように被せ付けられた状態が維持される。そして、スリーブ型カートン４と椀状容器２との組み合わせとなった包装体１Ａを前記カバー部９が被せ付けられた形態のまま電子レンジの庫内に入れ、電子レンジ加熱調理を行なう。
【００３９】
このとき、マイクロ照射された包装体１Ａの食品が突沸する可能性があるが、椀状容器２の上面形状より大寸としたカバー部９にて椀状容器２の蓋材６を取り除いて形成した開口の上方を覆っているため、椀状容器２内から食品の飛沫が飛ぶことがあっても、カバー部９のプラスチック層４０に当たり、外部に飛散するのを抑制でき、よって電子レンジ庫内をあまり汚すことがなく、またプラスチック層４０により紙製のカバー部９への食品の浸透などの悪影響が防止されるので、カバー部９の強度低下や外観の悪化が防止される。また食品に直接触れる部分にプラスチック層４０を設けているので衛生的である。
加熱が終了すれば、包装体１Ａを電子レンジ庫内から取り出し、カバー部９を開くようにすればよい。
【００４０】
上記の例では、ポリオレフィン系プラスチックフィルムあるいはシートからなるプラスチック層４０を積層、コーテイング、貼着などにより設けた例を示したが、プラスチック層４０はポリエチレン、ポリプロピレンなどのポリオレフィン系プラスチックフィルムあるいはシートに限定されず他の熱可塑性樹脂、熱硬化性樹脂、紫外線などの放射線硬化性樹脂など、あるいはこれらの２つ以上の組み合わせなどを使用でき、中でも電子レンジ加熱調理に対する耐熱性があり、食品の飛沫に対する非粘着性があり、良好な安全性を有するものは好ましく使用できる。
また上記の例では、カバー部９の内面側の表面の全面にポリオレフィン系プラスチックフィルムあるいはシートからなるプラスチック層４０を設けた例を示したが、プラスチック層４０を設ける箇所およびその面積は限定されず、椀状容器２の蓋材６を取り除いて形成される開口の少なくとも上方を覆うことができるような箇所および面積であればよい。
【００４１】
図１４〜１７は、本発明に係る包装体の保持手段の他の例を示す説明図である。
図１４および図１５に示したカバー部９および保持手段３１の内面側の表面の全面にポリオレフィン系プラスチックフィルムあるいはシートからなるプラスチック層４０が積層、コーテイング、貼着などにより設けられている以外はそれぞれ図９および図１０に示した本発明に係る包装体１の保持手段３１と同様になっている。
【００４２】
図１６および図１７に示した保持手段３１の内面側の表面の全面にポリオレフィン系プラスチックフィルムあるいはシートからなるプラスチック層４０が積層、コーテイング、貼着などにより設けられている以外はそれぞれ図１１および図１２に示した本発明に係る包装体１の保持手段３１と同様になっている。
【００４３】
図１４〜１７に示した保持手段３１を備えた本発明に係る包装体を用いた以外は本発明に係る包装体１Ａと同様にしてカバー部９が蓋材６を取り除いて形成した開口を覆うように被せ付けて電子レンジの庫内に入れ、電子レンジ加熱調理を行なうと、椀状容器２内から食品の飛沫が飛ぶことがあっても、カバー部９および／または保持手段３１のプラスチック層４０に当たり、外部に飛散するのを抑制でき、よって電子レンジ庫内を汚すことがなく、またこれらのプラスチック層４０により紙製のカバー部９や保持手段３１への食品の浸透などの悪影響が防止されるので、カバー部９の強度低下や外観の悪化が防止される。また食品に直接触れる部分にプラスチック層４０を設けているので衛生的である。
カバー部９や保持手段３１が上記のようなプラスチック製であればプラスチック層４０を設けなくても差し支えない。
【００４４】
図１８〜２０により、本発明に係る他の包装体について説明する。
図１８（ａ）は、本発明に係る他の包装体を縦に立てた状態を示す説明図であり、（ｂ）は本発明に係るこの包装体を底板を下にして置いた状態を示す説明図であり、図１９は、図１８に示した本発明に係る他の包装体を電子レンジ加熱調理する前にカバー部を開けた状態を示す説明図であり、図２０は、本発明に係る他のスリーブ型カートンの一例を展開して示す説明図である。
【００４５】
本発明に係る他のスリーブ型カートンは、図２０に示したように、カバー部９の一端が連接されている底板１０の側板１３に適宜の間隔をおいて穿設されたミシン目からなる折り罫５０が形成され、折り罫５０に一端を接してカバー部９の両端部に着脱爪５５を備えたカバー部係脱部５１がカバー部９と一体的に形成されており、一方、カバー部９の折り罫２８に対して摘み片３０の反対側に、折り罫２８に適宜の間隔をおいて穿設されたミシン目からなる折り罫５２および折り罫５２に引き続き丸型に切り込み形成された凸部５３が形成されており、そしてカバー部係脱部５１の着脱爪５５を底板１０の縦壁板１６の側板１３側の端部に挿入して着脱可能に係止するために係止部５４が設けられており、開口１５の内周形状を用いる容器本体５の外周形状に対応させている、以外は図４に示した本発明に係るスリーブ型カートン４と同様になっている。
そして折り罫５０を中心としてカバー部９を内面側に回動操作して折り込んだり、あるいは元の位置に戻したりでき、また折り罫５２を中心としてカバー部９の先端部のみを内面側に回動操作して折り込んだり、あるいは元の位置に戻したりできるようになっている。
この例においては、カバー部係脱部５１、着脱爪５５および係止部５４によりカバー部係脱手段が形成されるようになっている。
【００４６】
図１８において、１Ｂは本発明に係る他の包装体である。
本発明に係る他の包装体１Ｂは、図１８（ａ）に示すようにスリーブ型カートン４の座部８に蓋材６で上面が閉じられた椀状容器２を配置し、蓋材６の上に包装袋３を配置した状態で、カバー部９の先端部を折り罫５２を中心として内面側に約１８０°折り曲げるとともに、カバー部９を折り罫５０を中心として約９０°内面側に折り曲げて、カバー部係脱部５１の着脱爪５５を底板１０の縦壁板１６の端部に設けられた係止部５４に差し入れて座部８に掛け止めして、椀状容器２と包装袋３を保持して包装してなるものであり、そして側板１３側を下にして縦に立てて、そのまま展示している。
【００４７】
そして本発明に係る包装体１Ｂは、紙製のスリーブカートン４のカバー部９の内面側の表面の所定の箇所（この例では、カバー部９の内面側の表面の全面）にポリオレフィン系プラスチックフィルムあるいはシートからなるプラスチック層４０が積層、コーテイング、貼着などにより設けられている。
本発明に係る包装体１Ｂは、上記のように構成されている以外は図１、図１３に示した本発明に係る包装体１、１Ａと同様になっている。
【００４８】
本発明に係る他の包装体１Ｂは、縦に立てて展示することができるので、一層購買者の目に付き易くなり、縦に立てても椀状容器２や包装袋３を適正に保持でき、陳列された一般の購入者が通常に取り扱ったとしても、椀状容器２や包装袋３の回転、移動、ずれなどが生じないため、商品形態を良好な状態に保つことができる。
【００４９】
そして本発明に係る包装体１Ｂは、図１８（ｂ）に示すように、底板１０側を下にして平置きにして展示することもできる。平置きにして展示するなどしても購買者の目に付き易く、椀状容器２や包装袋３を適正に保持でき、陳列された一般の購入者が通常に取り扱ったとしても、椀状容器２や包装袋３の回転、移動、ずれなどが生じないため、商品形態を良好な状態に保つことができる。
【００５０】
本包装体１Ｂを用いた電子レンジ加熱調理の形態を、椀状容器２にご飯が収容され、そのご飯に合わせる具材が包装袋３に収容されているものとして説明すれば、図１９に示すように、まず、カバー部係脱部５１の着脱爪５５を係止部５４から取り外して、スリーブ型カートン４のカバー部９の先端部など折り込んであった箇所を含めて全部開き、椀状容器２の蓋材６の全部を捲って開いて取り除くとともに前記包装袋３を開封し、蓋材６を取り除いて形成した開口から包装袋３側の具材を椀状容器２に入れてご飯と合わせる。
つぎに、カバー部９の係止爪２５を座部８における係止部２６に係止させる。こうすることによりカバー部９は蓋材６を取り除いて形成した開口を覆うように被せ付けられた状態が維持される。そして、スリーブ型カートン４と椀状容器２との組み合わせとなった包装体１Ｂを前記カバー部９が被せ付けられた形態のまま電子レンジの庫内に入れ、電子レンジ加熱調理を行なう。
【００５１】
このとき、マイクロ照射された包装体１Ｂの食品が突沸する可能性があるが、椀状容器２の上面形状より大寸としたカバー部９にて椀状容器２の蓋材６を取り除いて形成した開口の上方を覆っているため、椀状容器２内から食品の飛沫が飛ぶことがあっても、カバー部９のプラスチック層４０に当たり、外部に飛散するのを抑制でき、よって電子レンジ庫内を汚すことがなく、またプラスチック層４０により紙製のカバー部９への食品の浸透などの悪影響が防止されるので、カバー部９の強度低下や外観の悪化が防止される。また食品に直接触れる部分にプラスチック層４０を設けているので衛生的である。
加熱が終了すれば、包装体１Ｂを電子レンジ庫内から取り出し、カバー部９を開くようにすればよい。
なお、以上の説明は包装体１Ｂを用いた電子レンジ加熱調理の一例であり、これに限定されるものではない。
また、本発明の包装体１Ｂにおいても、底板１０と保持板１２との間隔を維持する前述したような支持手段１９を設けることができ、またカバー部９は前述したような物品保持手段３１を備えることができ、また、カバー部９および／または物品保持手段３１の内面側の表面の所定箇所にプラスチック層４０を設けることができる。
【００５２】
上記実施の形態の説明は、本発明を説明するためのものであって、特許請求の範囲に記載の発明を限定し、或は範囲を減縮するものではない。又、本発明の各部構成は上記実施の形態に限らず、特許請求の範囲に記載の技術的範囲内で種々の変形が可能である。
【産業上の利用可能性】
【００５３】
本発明のスリーブ型カートンは、収容物を配した容器本体の上面を蓋材で閉じてなる椀状容器に縦巻き状にして取り付けるスリーブ型カートンであって、椀状容器の底部を保持する座部と、この座部に一端を連接して椀状容器の上方を跨いで他端が前記座部に係脱可能に設けられているカバー部とを備え、前記座部は、椀状容器の底部が相対する底板と椀状容器の容器本体を保持する開口を備えた保持板との上下二段の板材からなるものであり、
本発明のスリーブ型カートンを用いて、収容物を配した椀状容器を適正に保持された本発明の包装体を容易に得ることができ、本発明のスリーブ型カートンの座部に保持された椀状容器は、陳列されたこの包装体を一般の購入者が通常に取り扱ったとしても、回転したり、抜け落ちたり、ずれたりせず、安定に保持されるため、商品形態を良好な状態に保つことができ、
また、本発明のスリーブ型カートンを用いて、椀状容器と包装袋とのセットを両者の貼り合わせなどを行なわなくとも両者が適正に保持された本発明の包装体を容易に得ることができ、陳列されたこの包装体を一般の購入者が通常に取り扱ったとしても包装袋の抜け落ちや椀状容器のずれが生じないため、商品形態を良好な状態に保つことができるなど、実用性に優れた効果を奏するので、産業上の利用価値が高い。
【図面の簡単な説明】
【００５４】
【図１】本発明に係る包装体の一例を示す説明図である。
【図２】カバー部を開けた状態の一例を示す説明図である。
【図３】一例を側方から見た状態で示す説明図である。
【図４】本発明に係るスリーブ型カートンの一例を展開して示す説明図である。
【図５】支持手段の他の例を示す説明図である。
【図６】同じく支持手段の他の例を示す説明図である。
【図７】同じく支持手段の他の例を示す説明図である。
【図８】同じく支持手段の他の例を示す説明図である。
【図９】保持手段の一例を示す説明図である。
【図１０】保持手段の他の例を示す説明図である。
【図１１】同じく保持手段の他の例を示す説明図である。
【図１２】同じく保持手段の他の例を示す説明図である。
【図１３】本発明に係る包装体の他の例を示す説明図である。
【図１４】保持手段の他の例を示す説明図である。
【図１５】同じく保持手段の他の例を示す説明図である。
【図１６】同じく保持手段の他の例を示す説明図である。
【図１７】同じく保持手段の他の例を示す説明図である。
【図１８】（ａ）は、本発明に係る他の包装体を縦に立てた状態を示す説明図であり、（ｂ）は本発明に係るこの包装体を底板を下にして置いた状態を示す説明図である。
【図１９】図１８に示した本発明に係る他の包装体を電子レンジ加熱調理する前にカバー部を開けた状態を示す説明図である。
【図２０】本発明に係る他のスリーブ型カートンの一例を展開して示す説明図である。
【符号の説明】
【００５５】
１、１Ａ、１Ｂ…包装体
２…椀状容器
３…包装袋
４…スリーブ型カートン
５…容器本体
６…蓋材
７…収納凹部
８…座部
９…カバー部
１０…底板
１２…保持板
１５…開口
１６…縦壁板
１９…支持手段
３１…（物品）保持手段
４０…プラスチック層
５１…カバー部係脱部
５４…係止部
５５…着脱爪
【図１】
2004256170.tif 000003
【図２】
2004256170.tif 000004
【図３】
2004256170.tif 000005
【図４】
2004256170.tif 000006
【図５】
2004256170.tif 000007
【図６】
2004256170.tif 000008
【図７】
2004256170.tif 000009
【図８】
2004256170.tif 000010
【図９】
2004256170.tif 000011
【図１０】
2004256170.tif 000012
【図１１】
2004256170.tif 000013
【図１２】
2004256170.tif 000014
【図１３】
2004256170.tif 000015
【図１４】
2004256170.tif 000016
【図１５】
2004256170.tif 000017
【図１６】
2004256170.tif 000018
【図１７】
2004256170.tif 000019
【図１８】
2004256170.tif 000020
【図１９】
2004256170.tif 000021
【図２０】
2004256170.tif 000022